(57)【要約】【課題】  優れた機能を有する発光窓構造を既設の窓に比較的容易に設置できる後付工法及びその後付工法用発光窓ユニットを実現することを課題とする。【解決手段】  既設のガラス窓の内側に、ＬＥＤ導光板を取付け、その内側にハーフミラー層を設け、さらにその内側にガラス製の板体を取付け、積層構造の窓構造体を構成することを特徴とする発光窓構造の後付工法であり、前記のＬＥＤ導光板とハーフミラー層とガラス板とが積層状に一体固定されるフレームを有することを特徴とするＬＥＤ導光板を用いた発光窓構造の後付工法用発光窓ユニットである。【選択図】図１
2016081653.tif 000002
【特許請求の範囲】
【請求項１】
既設のガラス窓の内側に、
ＬＥＤ導光板を取付け、その内側にハーフミラー層を設け、さらにその内側にガラス製の板体を取付け、積層構造の窓構造体を構成することを特徴とする発光窓構造の後付工法。
【請求項２】
前記のハーフミラー層は、内側のガラス製板体のさらに内側に設けられていることを特徴とする請求項１に記載の発光窓構造の後付工法。
【請求項３】
前記の既設のガラス窓の内側にさらにハーフミラー層を設けることを特徴とする請求項１又は請求項２に記載の発光窓構造の後付工法。
【請求項４】
前記のＬＥＤ導光板の内側に取り付けられるガラス製の板体がマジックミラー機能を有するガラス板であることを特徴とする請求項１から請求項３までのいずれか１項に記載の発光窓構造の後付工法。
【請求項５】
前記のＬＥＤ導光板とハーフミラー層とガラス板とが積層状に一体固定されるフレームを有することを特徴とする請求項１から請求項４までのいずれか１項に記載のＬＥＤ導光板を用いた発光窓構造の後付工法用発光窓ユニット。
【請求項６】
前記のフレームが伸縮自在に固定可能であり、既設の窓枠に対して内側から左右に伸長して固定できることを特徴とする請求項５に記載の発光窓構造の後付工法用発光窓ユニット。
【請求項７】
前記のフレームが伸縮自在に固定可能であり、既設の窓枠に対して内側から上下に伸長して固定できることを特徴とする請求項５に記載の発光窓構造の後付工法用発光窓ユニット。
【請求項８】
前記のフレームの端部に係り止め手段が設けられ、既設の窓枠に対して係り止め手段により固定できることを特徴とする請求項５に記載の発光窓構造の後付工法用発光窓ユニット。
【請求項９】
前記のフレームの外周部に気密手段が設けられ、既設の窓枠に対して気密状態で固定できることを特徴とする請求項５に記載の発光窓構造の後付工法用発光窓ユニット。
【請求項１０】
前記の請求項５から請求項９までのいずれかに記載の後付工法用発光窓ユニットを、引き違い窓の内側窓、又は外側窓のいずれかの窓に設置し、該ユニットを取り付けたいずれかの窓の外枠と、引き違い窓全体の窓枠とに接点が設けられ、窓の閉止時に給電状態となることを特徴とする発光窓構造の後付工法。
【発明の詳細な説明】
【技術分野】
【０００１】
本発明は、マジックミラー機能を有するＬＥＤ導光板を用いた発光窓構造において、既設の窓が活用できる後付工法及びその発光窓ユニットに関する。
【背景技術】
【０００２】
本出願人らは、マジックミラー機能を有するＬＥＤ導光板を用いた面状の発光ユニット（特許第5288507号）による窓構造体を開発した（特願2013-36330）。
【０００３】
この窓構造体は、内側にハーフミラー層が設けられた透光性を有する面状発光体と、該面状発光体の内側と外側にガラス製の板体が設けられていることを特徴とする窓構造体であり、夜間において、室外からの覗き見防止を実現するものである。
【先行技術文献】
【特許文献】
【０００４】
【特許文献１】特許第5288507号公報
【特許文献２】特願2012-192821号公報
【特許文献３】特願2013- 36330号公報
【発明の概要】
【発明が解決しようとする課題】
【０００５】
特許文献１に記載の窓構造は、昼間は通常のマジックミラーとして機能し、夜間においては、ＬＥＤ導光板の発光機能により、外面が発光するマジックミラーユニットを備える窓構造である。
【０００６】
特許文献２、３は、前記の特許文献１における、発光照度の高いLEDアクリル導光板によるマジックミラーユニットを２枚のガラス板で挟み、窓全面を高い輝度で均一に発光可能とする発光窓構造である。
【０００７】
これらの窓構造により、昼間はマジックミラー窓として機能し、夜間は、外面発光により、外部からの視認を遮断することを可能とするものであり、従来のマジックミラー窓では実現できなかった夜間のプライバシーの問題を解決した新たな窓構造となる。
【０００８】
このように優れた機能を有する窓構造であるが、新築の建築物の窓に設置する場合を想定しているものである。
【０００９】
既存の建築物の窓に設置する場合には、既設の窓を枠ごと撤去してこの窓構造を新たに設置する必要があり、大きな工事となり、コストの問題も大きい。
【００１０】
本発明は、上記の点を鑑みてなされたものであり、優れた機能を有する発光窓構造を既設の窓に比較的容易に設置できる後付工法及びその後付工法用発光窓ユニットを実現することを課題とする。
【課題を解決するための手段】
【００１１】
本発明の請求項１は、
既設のガラス窓の内側に、ＬＥＤ導光板を取付け、その内側にハーフミラー層を設け、さらにその内側にガラス製の板体を取付け、積層構造の窓構造体を構成することを特徴とする発光窓構造の後付工法である。
【００１２】
該発光窓構造は、マジックミラー機能を有するＬＥＤ導光板を用いた面状発光ユニットによる窓構造であり、すでに出願人が出願済の特許である、特許第5288507号公報に記載されているマジックミラーユニット及び特願2012-192821号公報に記載の窓構造ユニット及び特願2013- 36330号公報に記載の窓構造体である。
【００１３】
すなわち、内側にハーフミラー層が設けられた透光性を有するLED導光板による面状発光体と、該面状発光体の内側と外側にガラス製の板体が設けられており、該面状発光体が、透光性アクリル樹脂板と、該アクリル樹脂板の端面に設けられたLED発光素子と、該透光性アクリル樹脂板の表面に設けられた光拡散層とからなり、該LED発光素子の光が該アクリル樹脂板の端面から入光し、該ハーフミラー層で反射し、該光拡散層で拡散することにより、面状発光体の表面が発光することを特徴とする窓構造体とするものである。
【００１４】
該面状発光体は、ハーフミラー層が設けられたLED導光板であり、アクリル樹脂製板の片面に光拡散ドット（白色インク）が印刷されたものであり、アクリル樹脂板の端面からＬＥＤ素子により光を入光させ、ハーフミラー層で前面に反射され、光拡散ドットで散乱させる面状の発光体である。
【００１５】
該ハーフミラー層は、マジックミラー機能を有するフィルムや内側のガラス板に金属薄膜層を設けたものでも良い。
【００１６】
既設のガラス窓に対して、その内側にLED導光板、さらに内側にハーフミラーフィルム層、さらにその内側にガラス板をセットし、既設のガラス窓枠の内側に後付用のフレームで上記のLED導光板、ハーフミラーフィルム、ガラス板を積層させて取り付けるものである。
【００１７】
これにより、既設の窓を枠ごと解体、撤去し、そのあとに新たに発光窓構造を取り付ける大がかりな工事をする必要なく、発光窓構造を実現できるものである。
【００１８】
本発明の請求項２は、前記のハーフミラー層は、内側のガラス製板体のさらに内側に設けられていることを特徴とする請求項１に記載の発光窓構造の後付工法である。
【００１９】
ハーフミラーフィルムなどを内側ガラスの外面側に貼付したものでも良い。
【００２０】
本発明の請求項３は、前記の既設のガラス窓の内側にさらにハーフミラー層を設けることを特徴とする請求項１又は請求項２に記載の発光窓構造の後付工法である。
【００２１】
ハーフミラーフィルムなどを内側ガラスの内面側に貼付したものでも良い。
【００２２】
本発明の請求項４は、前記のＬＥＤ導光板の内側に取り付けられるガラス製の板体がマジックミラー機能を有するガラス板であることを特徴とする請求項１から請求項３までのいずれか１項に記載の発光窓構造の後付工法である。
【００２３】
内側ガラスの内面側又は外面側に金属薄膜層を設けたものでも良い。
【００２４】
本発明の請求項５は、前記のＬＥＤ導光板とハーフミラー層とガラス板とが積層状に一体固定されるフレームを有することを特徴とする請求項１から請求項４までのいずれか１項に記載のＬＥＤ導光板を用いた発光窓構造の後付工法用発光窓ユニットである。
【００２５】
LED導光板とハーフミラー層とガラス板との相互の間隔は、１ｍｍ以下が好ましい。ハーフミラー層としてハーフミラーフィルムを使用する場合には、ガラス板に直接貼付したものでも良い。
【００２６】
ガラス板の内側にハーフミラーフィルムを貼付しても良い。その場合にもLED導光板とガラス板の間隔は１ｍｍ以下が好ましい。
【００２７】
積層構造としてフレームにより一体固定し、外周部をシール処理することが好ましい。
【００２８】
本発明の請求項６は、前記のフレームが伸縮自在に固定可能であり、既設の窓枠に対して内側から左右に伸長して固定できることを特徴とする請求項５に記載の発光窓構造の後付工法用発光窓ユニットである。
【００２９】
該伸縮手段は、既設の左右の縦窓枠に対して、該フレームが伸縮可能であり、弾性部材やばね部材等で外側に押圧した状態で固定できるものであればいずれでも良い。
【００３０】
本発明の請求項７は、前記のフレームが伸縮自在に固定可能であり、既設の窓枠に対して内側から上下に伸長して固定できることを特徴とする請求項５に記載の発光窓構造の後付工法用発光窓ユニットである。
【００３１】
該伸縮手段は、既設の上下の横窓枠に対して、該フレームが伸縮可能であり、弾性部材やばね部材等で外側に押圧した状態で固定できるものであればいずれでも良い。
【００３２】
本発明の請求項８は、前記のフレームの端部に係り止め手段が設けられ、既設の窓枠に対して係り止め手段により固定できることを特徴とする請求項５に記載の発光窓構造の後付工法用発光窓ユニットである。
【００３３】
該係り止め手段は、該フレームの端部にフック部材が設けられ、既設の窓枠にフックの受け部が設けられたものなどでも良い。
【００３４】
本発明の請求項９は、前記のフレームの外周部に気密手段が設けられ、既設の窓枠に対して気密状態で固定できることを特徴とする請求項５に記載の発光窓構造の後付工法用発光窓ユニットである。
【００３５】
該気密手段は、前記のフレームの外周部に断熱性材料又は防水性材料により気密状にシールし、該フレームの取付後、該フレームと既設の窓枠との隙間を気密状にコーキングしたものなどでも良い。
【００３６】
本発明の請求項１０は、前記の請求項５から請求項９までのいずれかに記載の後付工法用発光窓ユニットを、引き違い窓の内側窓、又は外側窓のいずれかの窓に設置し、該ユニットを取り付けたいずれかの窓の外枠と、引き違い窓全体の窓枠とに接点が設けられ、窓の閉止時に給電状態となることを特徴とする発光窓構造の後付工法である。
【００３７】
発光窓ユニットへの電源供給において、引き違い窓を閉めたときに当接する引き違い窓のフレームと窓枠との窓閉止時の当接部に各々接点を設けたものでも良い。また、電磁誘導方式などの無線電力送信などでも良い。
【発明の効果】
【００３８】
本発明によれば、以下の効果を奏する。
１）既設の窓を解体撤去することなく、発光窓構造を設置することができる。
【００３９】
２）ハーフミラー層を内側ガラス板のさらに内側にすることにより、印字ドット影響を受けず、発光品質を高めることができる。
【００４０】
３）ハーフミラー層を増やすことで、発光照度を高めることができる。
【００４１】
４）発光窓ユニットにより、現地設置が容易となり、取付精度が高まる。
【００４２】
５）発光窓ユニットのフレームを伸縮自在に固定できることで、ビス止めなどの必要がなく、設置作業が容易となる。
【００４３】
６）発光窓ユニットのフレームに係り止め手段が設けられることで、ビス止めなどの必要がなく、設置作業が容易となる。
【００４４】
７）気密手段が設けられることで、結露などの問題が解消される。
【００４５】
８）引き違い窓において、特別な配線の必要がなく、窓の閉止時に確実に給電できる。
【図面の簡単な説明】
【００４６】
【図１】本発明による発光窓構造の後付工法の概略構成を示す図である。
【発明を実施するための形態】
【００４７】
本発明による発光窓構造の後付工法の実施の一形態を、図１に基づいて説明する。
【００４８】
図１は、発光窓構造の後付工法の実施例を示す概略構成図である。本図は、既設の窓部分である、窓枠２にガラス板３が取り付けられており、この既設の窓の内側に発光窓ユニット１が取り付けられているものである。
【００４９】
発光窓ユニット１は、既設の窓ガラス３の内側に、光拡散層６が設けられたLEDアクリル導光板５が設けられ、その内側にガラス板７が設けられ、そのガラス板７の内側に貼付されたハーフミラーフィルム８とが設けられている。
【００５０】
拡散層６を有するLEDアクリル導光板５とガラス板７とハーフミラーフィルム８とは、発光窓ユニット１のフレーム４により、既設の窓ガラス３に気密状態で固定されている。
【００５１】
発光窓ユニット１のフレーム４は、既設の窓枠２との隙間を断熱材によりコーキング処理されており、気密状態が維持されている。
【００５２】
これにより、既設の窓ガラス３とLEDアクリル導光板５との隙間、及びLEDアクリル導光板５と内側のガラス板７との隙間における空気層は気密状態が保たれており、かつ、各隙間の空気層は、０．１〜０．５ｍｍ程度であり、外部からの水分は遮断されているので、結露の問題が解消されている。
【００５３】
必要に応じて、空気層をガスに置換したり、フレーム４に乾燥材を充填しても良い。
【００５４】
このように、発光窓構造の後付工法によれば、既設の窓を解体、撤去してから、発光窓構造を設置する必要はなく、既設の窓枠、窓ガラスをそのまま使用して発光窓構造を実現できるものである。
【００５５】
本発明による発光窓構造の後付工法では、窓構造を有したどのような被取付物（例えば、ビルの窓、電飾看板、掲示板、店舗のショーウィンドウ、エレベータ外面窓、パーテーション等）に対しても適用可能である。
【００５６】
そして、ＬＥＤ光をカーテンやブラインドの代わりに使用することができる。
【００５７】
さらに、本発明による発光窓構造の後付工法は、様々な窓に適用可能である。例えば、電車や自動車など乗り物の窓にも適用可能である。
【符号の説明】
【００５８】
１  発光窓ユニット
２  既設の窓枠
３  既設の窓ガラス
４  発光窓ユニットのフレーム
５  LEDアクリル導光板
６  光拡散層
７  ガラス板
８  ハーフミラーフィルム
【図１】
2016081653.tif 000003